(57)【要約】  生体データを生体認証装置１０２に登録するための方法が記載されている。本方法は、生体認証装置１０２上のソフトウェアおよび／またはハードウェアを設定するための設定システム２４を使用する工程を含む。設定システム２４は、モバイル機器２８からユーザ２２のための生体データを受信し、モバイル機器２８から遠隔にあり、データ伝送ネットワークを介してモバイル機器と通信する。モバイル機器２８は、ユーザに知られており、かつ安全な通信または個人的な通信のためにユーザによって以前に使用された機器、例えばスマートフォン２８である。設定システム２４は、生体データを生体認証装置１０２に登録し、個人化データを生体認証装置１０２に提供する。個人化データは、装置１０２をユーザ２２に個人化するように働き、事前登録生体データおよび生体認証装置１０２の生体認証センサを使用する生体認証に応答して前記生体認証装置の後の使用中にアクセス可能であることを意図したユーザ固有データを含んでいる。生体認証装置１０２は、生体データが登録されて個人化データが追加されたときにのみ、ユーザに送られる。【選択図】図１
2019525310.tif 000002
【特許請求の範囲】
【請求項１】
生体データを生体認証装置に登録するための方法であって、
前記方法が、
前記生体認証装置上のソフトウェアおよび／またはハードウェアを設定するための設定システムを使用する工程と、
前記設定システムを用いて生体データを生体認証装置に登録する工程と、
前記設定システムを用いて個人化データを生体認証装置に提供する工程と、
前記生体データが登録されて前記個人化データが追加されるときにのみ、前記生体認証装置をユーザに送る工程と、
を含んでおり、
前記設定システムが、前記ユーザのためにモバイル機器から前記生体データを受信し、前記モバイル機器から遠隔にあり、データ伝送ネットワークを介して前記モバイル機器と通信し、
前記モバイル機器が、前記ユーザに知られており、かつ安全な通信または個人的な通信のために前記ユーザによって以前に使用された機器であり、
前記個人化データが、前記装置を前記ユーザに個人化するように働き、前記事前認登録生体データおよび前記生体認証装置の生体認証センサを使用する生体認証に応答して前記生体認証装置の後の使用中にアクセス可能であることを意図したユーザ固有データを含んでいる、方法
【請求項２】
前記モバイル機器上のセンサを介して登録を案内するように前記ユーザに指示を提供する工程を含んでいる、請求項１に記載の方法。
【請求項３】
前記個人化データが、前記生体データが登録されて初めて前記生体認証装置に提供される、請求項１または２に記載の方法。
【請求項４】
前記生体認証装置が、前記生体データの登録前には、前記ユーザに関する機密データまたは安全なデータを何も含んでいない、請求項１乃至３のいずれか一項に記載の方法。
【請求項５】
前記個人化データが、識別番号、アカウント番号、エンドユーザの名前、およびエンドユーザの請求先／郵送先住所の１つ以上を含んでいる、請求項１乃至４のいずれか一項に記載の方法。
【請求項６】
請求項１乃至５のいずれか一項に記載の方法であって、
前記方法が、
生体データを取得するためのセンサをもったモバイル機器であって、ユーザにアクセス可能であるモバイル機器、前記モバイル機器と通信しているデータ伝送ネットワークであって、前記モバイル機器から生体データを受信することができるデータ伝送ネットワーク、および、前記設定システムを利用する工程と、
前記モバイル機器のセンサを介して前記ユーザから生体データを取得する工程と、
前記データ伝送ネットワークを介して前記生体データを前記設定システムに送信する工程と、
前記設定システムを用いて前記生体データを前記生体認証装置に登録する工程と、
前記設定システムを用いて個人化データを前記生体認証装置に提供する工程であって、前記個人化データが、前記装置を前記ユーザに個人化するように働き、前記事前登録生体データおよび前記生体認証装置の生体認証センサを使用する生体認証に応答して前記生体認証装置の後の使用中にアクセス可能であることを意図したユーザ固有データを含む、工程と、を含んでいる、方法。
【請求項７】
前記モバイル機器の前記センサが、専用の指紋センサまたは指紋データを取得するためのカメラであり、前記生体認証装置の前記生体認証センサが指紋センサであり、前記生体データが指紋データである、請求項６に記載の方法。
【請求項８】
前記モバイル機器が、前記ユーザが前記生体認証装置を申請する前および／または前記生体認証装置が発行されることが承認される前に前記ユーザがすでに所有しているおよび／または前記ユーザにすでに知られている信頼された装置である、請求項６または７に記載の方法。
【請求項９】
前記生体認証センサをもった前記モバイル機器が、前記ユーザのスマートフォンである、請求項６乃至８のいずれか一項に記載の方法。
【請求項１０】
前記スマートフォンを介して前記ユーザの指紋の登録を案内するように前記ユーザに指示を提供するためにスマートフォンアプリケーションを使用する工程を含んでいる、請求項９に記載の方法。
【請求項１１】
前記ユーザへの前記指示が、前記スマートフォンの前記センサに対する前記指紋の位置に関する案内および／またはフィードバックを含んでいる、請求項１０に記載の方法。
【請求項１２】
生体認証装置上のソフトウェアおよび／またはハードウェアを設定するための設定システムであって、
前記設定システムが、前記設定システムから遠隔にあるモバイル機器から生体データを受信するためにデータ伝送ネットワークと通信するように構成されており、前記設定システムが、前記生体データを前記生体認証装置に登録し、そして個人化データを前記生体認証装置に提供するように構成されており、
前記個人化データが、前記装置を前記ユーザに個人化するように働き、ユーザ固有データを含んでおり、前記設定システムが、前記生体データが登録されて前記個人化データが追加されるまで、前記生体認証装置を前記ユーザに送るために解放しない、システム。
【請求項１３】
生体データを生体認証装置に登録するためのシステムであって、
前記システムが、生体データを取得するためのセンサをもったモバイル機器であり、ユーザにアクセス可能であり、ユーザに知られている機器であり、かつ安全な通信または個人的な通信のためにユーザによって以前に使用された機器と、
モバイル機器と通信しているデータ伝送ネットワークであり、前記モバイル機器から生体データを受信することができるデータ伝送ネットワークと、
そして請求項１２に記載の設定システムと、を含んでおり、
前記モバイル機器が、前記ユーザから生体データを取得し、次いで前記データ伝送ネットワークを介して前記生体データを前記設定システムに送信するように構成されており、
前記設定システムが、前記生体データを前記生体認証装置に登録し、前記設定システムを用いて個人化データを前記生体認証装置に提供するように構成されており、
前記設定システムが、前記生体データが登録されて前記個人化データが追加されるまで、前記生体認証装置を前記ユーザに送るために解放せず、そして
前記生体認証装置が、前記生体認証装置の後の使用中に前記個人化データの一部またはすべてへのアクセスを提供するように構成されており、
アクセスが、事前登録生体データおよび前記生体認証装置の前記生体認証センサを使用する生体認証に応答して許可される、システム。
【請求項１４】
前記生体認証装置、前記データ伝送ネットワーク、および／または前記設定システムが、請求項１乃至１１のいずれか一項に記載のように動作するように構成されている、請求項１３に記載のシステム。
【請求項１５】
前記モバイル機器が、前記ユーザのスマートフォンであり、前記生体データが指紋データであり、したがって、生体認証装置が指紋センサを含んでいる、請求項１３または１４に記載のシステム。
【請求項１６】
前記モバイル機器が、前記モバイル機器上の前記センサを介して登録を案内するように前記ユーザに指示を提供するように構成されている、請求項１３乃至１５のいずれか一項に記載のシステム。
【請求項１７】
前記生体認証装置が、携帯可能な装置であり、それによって人が携帯するように設計された装置を意味する、請求項１３乃至１６のいずれか一項に記載のシステム。
【請求項１８】
前記生体認証装置が、アクセスカード、クレジットカード、デビットカード、プリペイドカード、ポイントカード、または身分証明書のいずれか１つを含むスマートカードである、請求項１３乃至１６のいずれか一項に記載のシステム。
【請求項１９】
生体データを生体認証装置に登録するためのコンピュータプログラム製品であって、
前記コンピュータプログラム製品が、生体認証装置上のソフトウェアおよび／またはハードウェアを設定するための設定システム上で実行されると、設定システムに、前記ユーザに知られており、かつ安全な通信または個人的な通信のために前記ユーザによって以前に使用された機器であるモバイル機器からユーザのための生体データを受信させ、前記設定システムを用いて前記生体データを前記生体認証装置に登録させ、個人化データを前記生体認証装置に提供させ、そして、生体データが登録されて個人化データが追加されたときにのみ、前記生体認証装置を前記ユーザに送るために解放する指示を含んでおり、
前記設定システムが、前記モバイル機器から遠隔にあり、
前記個人化データが、前記装置を前記ユーザに個人化するように働き、前記事前登録生体データおよび前記生体認証装置の前記生体認証センサを使用する生体認証に応答して前記生体認証装置の後の使用中にアクセス可能であることを意図したユーザ固有データを含んでいる、コンピュータプログラム製品
【請求項２０】
前記生体認証装置上のソフトウェアおよび／またはハードウェアを設定するための設定システム上で実行されると、前記設定システムに請求項１乃至１１のいずれか一項に従って動作させる指示を含んでいる、請求項１９に記載のコンピュータプログラム製品。
【請求項２１】
請求項１乃至１１に記載の方法または請求項１２乃至１８に記載のシステムによって生成された生体認証装置。
【請求項２２】
生体認証センサを備え、個人化データと一緒に登録生体データを含む生体認証装置であって、
前記生体データが、前記生体認証装置とは別のモバイル機器を介して取得され、前記生体認証装置が、前記生体認証装置の後の使用中の個人化データの一部またはすべてへのアクセスを提供するように構成されており、アクセスが前記事前登録生体データおよび前記生体認証装置の前記生体認証センサを使用する生体認証に応答して許可される、装置。
【請求項２３】
前記個人化データを追加する前に前記装置に登録されている生体データを含んでいる、請求項２２に記載の生体認証可能装置。
【請求項２４】
前記生体認証装置は、自己登録することができない、請求項２２または２３に記載の生体認証装置。
【請求項２５】
前記生体認証センサが指紋センサであり、前記生体データがスマートフォンを介して取り込まれた指紋データである、請求項２２乃至２４のいずれか一項に記載の生体認証装置。
【請求項２６】
前記生体認証センサが指紋センサであり、前記生体認証装置がスマートカードである、請求項２２乃至２５のいずれか一項に記載の生体認証装置。
【発明の詳細な説明】
【技術分野】
【０００１】
本発明は、生体データを生体認証装置に登録するための方法、コンピュータプログラム製品、およびシステム、ならびに、このような登録によって生成された生体認証装置に関する。
【背景技術】
【０００２】
指紋認証スマートカードなどの生体認証装置は、ますます広く使用されるようになっている。生体認証が提案されたスマートカードとしては、例えば、アクセスカード、クレジットカード、デビットカード、プリペイドカード、ポイントカード、身分証明書などが挙げられる。スマートカードは、例えばＲＦＩＤなどの非接触技術を介してデータを記憶し、ユーザおよび／または外部装置と通信する能力をもった電子カードである。これらのカードは、アクセスを可能にして取引などを認証するためにセンサと通信して情報を伝達することができる。指紋認証などの生体認証を利用する他の装置も知られており、これらとしては、コンピュータメモリ装置、ビルアクセス制御装置、軍事技術、車両などが挙げられる。
【０００３】
生体データの使用はセキュリティを改善するための明らかな機会を生み出すが、ユーザおよび生体認証装置の提供者にとっての追加された複雑さに関して不都合もある。ユーザの生体データを取得してから装置に登録する必要がある。生体データの記録および送信に関して潜在的なセキュリティの問題がある。１つの提案は、装置が生体データを生体認証装置に直接登録可能になることであり、これは、生体データが理論的に装置を離れることを避けることができ、またユーザが彼らの生体データを決して第三者に渡さないことを意味する。
【０００４】
この種の装置の例は、特許文献１および特許文献２に見出だされ、その両方とも指紋センサを利用する。これらの文献の各々には、指紋データの登録も後のユーザの認証も装置自体のセンサを利用する生体認証装置が記載されている。
【先行技術文献】
【特許文献】
【０００５】
【特許文献１】国際公開第２０１６／０５５６６５号
【特許文献２】米国特許第２０１３／２０７７８６号明細書
【発明の概要】
【発明が解決しようとする課題】
【０００６】
しかし、生体認証を感知するために使用されるどんなシステムも、装置が、このような方法で動作することができる場合に新たな生体データを登録することができないため、自己登録の使用はまた利点がある一方、生体認証装置に追加の制約を課す。これは、例えば、より優れた分解能または、より大きなサイズをもったセンサを必要とし得、および／または、より大きなレベルの電力が必要とされ得る。生体データとしての指紋の場合、部分的な指紋に基づいてユーザの識別を可能にすることが一般的であるが、登録は通常、後のユーザの身元の認証のための完全な指紋の「テンプレート」を作成するために完全な指紋と指紋の反復スキャンとを必要とする。したがって、認証用と同じ登録用センサを使用することは必ずしも理想的ではない。
【課題を解決するための手段】
【０００７】
第１の態様から見ると、本発明は、生体データを生体認証装置に登録するための方法であって、生体認証装置上のソフトウェアおよび／またはハードウェアを設定するための設定システムを使用する工程であり、設定システムが、ユーザのためにモバイル機器から生体データを受信し、設定システムが、モバイル機器から遠隔にあり、データ伝送ネットワークを介してモバイル機器と通信し、モバイル機器が、ユーザに知られており、かつ安全な通信または個人的な通信のためにユーザによって以前に使用された機器である工程、設定システムを用いて生体データを生体認証装置に登録する工程、設定システムを用いて個人化データを生体認証装置に提供する工程であり、個人化データが、装置をユーザに個人化するように働き、事前登録生体データおよび生体認証装置の生体認証センサを使用する生体認証に応答して生体認証装置の後の使用中にアクセス可能であることを意図したユーザ固有データを含む工程、次いで、生体データが登録されて個人化データが追加されるときにのみ生体認証装置をユーザに送る工程を含む方法を提供する。
【０００８】
この方法では、ユーザのモバイル機器は、設定システムに送信され、次いで生体認証装置に登録される生体データを取得するために使用される。ユーザは生体認証登録に関して未知の装置と通信する必要はない。例えば、彼らは、生体認証装置を発行している可能性のある銀行や他の会社に行く必要はない。本方法は、モバイル機器において実行される工程をさらに含み得る。したがって、いくつかの例では、生体データを生体認証装置に登録する方法は、生体認証センサをもったモバイル機器であって、モバイル機器が、ユーザにアクセス可能であり、ユーザに知られている機器であり、かつ安全な通信または個人的な通信のためにユーザによって以前に使用された機器と、モバイル機器と通信しているデータ伝送ネットワークであって、データ伝送ネットワークがモバイル機器から生体データを受信することができるデータ伝送ネットワークと、設定システムであって、本方法が、モバイル機器を介してユーザから生体データを取得する工程、データ伝送ネットワークを介して生体データを設定システムに送信する工程、設定システムを用いて生体データを生体認証装置に登録する工程、設定システムを用いて生体認証装置に個人化データを提供する工程であり、個人化データが、装置をユーザに個人化するように働き、事前登録生体データおよび生体認証装置の生体認証センサを使用する生体認証に応答して生体認証装置の後の使用中にアクセス可能であることを意図したユーザ固有データを含む工程、次いで、生体データが登録されて個人化データが追加されるときにのみ生体認証装置をユーザに送る工程を含む設定システムとを利用する。
【０００９】
これらの方法では、上記参照した公知の「自己登録」装置とは対照的に、生体データは個人化の前に、かつ装置上のセンサとは異なるセンサを用いて装置に登録される。自己登録された装置は、それらがユーザに届けられる前に個人化され、これは装置の安全な輸送、ならびに信頼できる自己登録プロトコルの必要性に関して問題を引き起こす。このような装置上の生体認証センサは、ときどきサイズおよび電力使用量に制限を有することがあり、これら両方の要因は高品質の自己登録システムを提供することが困難であり得ることを意味する。第１の態様の方法は、生体認証装置の生体認証センサを介する登録を必要とするのではなく、別のモバイル機器上の生体認証センサを利用する。これにより、登録に使用されるセンサに対する制限が軽減または除去され、したがって登録の精度も生体認証装置の設計の自由度もまた高まる。いくつかの例では、生体認証装置は自己登録することができない、すなわち、装置は生体データを装置に登録するために必要なソフトウェアおよび／またはハードウェアを備えていない。
【００１０】
好ましくは、個人化データは、生体データが登録された後にのみ生体認証装置に提供される。個人化の前に生体データが装置に登録されると、装置上のユーザ固有のデータは常に生体データで安全にされる。実際、例示的な実施形態では、装置が構成された後、次いで設定システムのオペレータでさえも、ユーザからの生体認証なく個人化データにアクセスすることができない。いくつかの実施形態では、生体認証装置は、生体データの登録前にユーザに関する機密データまたは安全なデータを何も含まない。一例では、生体認証装置は、生体データの登録前には、ユーザに関するすべての個人データを欠いている。
【００１１】
生体認証装置の生体認証センサは、カメラまたは専用の指紋センサ（例えば接触面型指紋センサ）などの指紋データを取得するためのセンサであり得る。この文脈では、カメラも専用の指紋センサも「指紋センサ」と見なされる。したがって、生体データは指紋データであり得る。それによって、モバイル機器は、カメラまたは専用の指紋センサを介して指紋データを取得するために使用され得る。ユーザの身元をチェックするための生体認証装置と同じタイプのセンサを登録用モバイル機器で使用する必要がないことに留意すべきである。実際、異なるセンサタイプを使用することには利点があり得る。例えば、指紋エリアセンサは、生体認証装置がスマートカードである場合に非常に重要となり得る低厚み、かつ低電力で容易に実施することができる。しかし、モバイル機器がスマートフォンである場合は、指紋センサの含有物および品質がスマートフォン製造業者にとって優先度がより小さいことから、容易に入手可能な高品質カメラが、しばしば存在する。
【００１２】
指紋生体認証の場合、エンドユーザは通常、指紋（本明細書で使用する場合、指紋はまた拇印を含む）を、指紋センサを横切って複数回スキャンするか、または複数の画像が取り込まれるまで指紋センサカメラに提示することによって指紋を登録する。例えば、一部のシステムは、１０枚の画像などの５枚以上の画像を必要とする。複数の指紋画像は組み合わされて、結果として設定システムへの送信のための指紋データを形成する複合テンプレートファイルを形成する。好都合には、指紋テンプレートファイルは、指紋認識を介してユーザの身元をチェックすることを可能にするが、指紋それ自体のコピーを設定システムに供給することを含まないことに留意すべきである。指紋は、結果として保護され、ある意味ではユーザの所有を離れない。本方法は、指紋テンプレートなどの指紋データを生成するために任意の適切なアルゴリズムを利用することができ、これはモバイル機器で、または任意にデータ伝送ネットワークにリンクされている別の処理装置で実行することができる。指紋データは、設定システムへの送信の前に暗号化されてもよい。
【００１３】
非指紋生体認証が使用される場合は（例えば顔認識）、ユーザの生体認証のより完全な詳細を送信するのではなく生体認証テンプレートが設定システムに送信される同様の機能が存在してもよい。したがって、生体認証テンプレートの形式で送信されたデータは、ユーザの生体認証の不正コピーを許可することなく、ユーザの実検の信頼できる確認を可能にし得る。
【００１４】
上記の例の指紋テンプレートファイルのように、設定システムがモバイル機器から生体データを受信すると、それは、そのデータを生体認証装置に登録する。例えば、装置が支払いに使用されたスマートカードである場合、これは生体データをスマートカード上の安全な要素に保存することを含み得る。次いで、設定システムのオペレータは、設定システムを用いて、個人化データを提供することによって、生体認証装置を個人化する。例えば、支払いに使用されたスマートカードでは、これにはクレジットカードの通常の１６桁のアカウント番号などのアカウント番号の割り当てや、おそらくエンドユーザの名前、請求先／郵送先住所などのその他の詳細の割り当てなどが挙げられる。次いで、代替／追加機能をもった他のタイプの装置およびスマートカードについては、ビルエリアへのアクセスまたは車両エントリシステムへのアクセスに使用される識別番号またはコードなどの他の個人化データが追加されてもよい。好ましくは、生体データが装置に登録される後に、その後、設定システムのオペレータが生体データを永久に削除する。
【００１５】
モバイル機器は、ユーザにアクセス可能であり、適切な生体認証センサ、すなわち必要な生体データを収集することができるセンサを有する任意の機器であり得る。登録プロセスは、例えば、ラップトップ、タブレットまたはスマートフォンを含むモバイルコンピュータ装置を伴うことができ、これは設定システムから遠隔の場所でユーザにアクセス可能な装置であり得る。好ましい実施形態では、モバイル機器は、すでにユーザが所有しており、および／または生体認証装置を申請する前および／または生体認証装置が発行されることが承認される前にユーザにすでに知られている機器である。したがって、ユーザは、生体認証サンプルを生体認証装置の発行者に直接提供しなければならない先行技術のシステムと比較して、生体データの処理に関してより大きな程度の制御権を有する。好都合には、モバイル機器は、信頼された機器、すなわちユーザに知られており、かつ安全な通信または個人的な通信のためにユーザによって以前に使用された機器である。
【００１６】
広く使用されると期待される一例は、ユーザのスマートフォンになる生体認証センサをもったモバイル機器であって、スマートフォンがカメラおよび／または指紋センサの形態の生体認証センサを含むモバイル機器についてである。スマートフォンカメラを用いて、顔認識のためにユーザの画像の形式で生体データを取得し、および／または指紋認識のために指紋データの形式で生体データを取得することができる。スマートフォンカメラなどのカメラから指紋生体認証を取得するためのソフトウェアの例としては、米国アラバマ州バーミンガムのＤｉａｍｏｎｄ  Ｆｏｒｔｒｅｓｓ  Ｔｅｃｈｎｏｌｏｇｉｅｓによって供給されるＯＮＹＸ（登録商標）ソフトウェア、アラバマ州ハンツビルのＩＤａｉｒによって供給されるＯｎｅＰｒｉｎｔ（登録商標）、および英国、ウェリントンのＢｉｏＳＳＬ  Ｌｔｄ．によって供給されるＢｉｏＳＳＬ指紋認証製品が挙げられる。専用の指紋センサは、スマートフォンを介して指紋データを取得するための代替または追加の方法を提供し得る。スマートフォンから設定システムに送信された生体データは、ユーザの生体認証の完全な詳細の外部送信を回避するために、元の画像データまたは指紋スキャンデータではなく、指紋テンプレートまたは顔認識テンプレートであり得る。
【００１７】
ユーザのスマートフォンを使用することにより、この方法は、ユーザによく知られており容易に利用可能な機器であって、ユーザが以前に生体認証登録プロセスを経験した、および／または他の生体認証セキュリティソフトウェアを使用し得る機器を利用することができる。本方法がユーザのスマートフォンおよび指紋データをモバイル機器および生体データとして利用すると、プロセスはユーザによって完全に信頼され、登録に関する問題の発生率を最小化することができる。
【００１８】
本方法は、モバイル機器上の生体認証センサを介して登録を案内するようにユーザに指示を提供することを含むことができる。これにより、指紋データの登録についてのどんな問題も最小化され、登録が可能になり、したがって保護された機器を最小の遅延で使用できるようになる。例えば、生体データを収集するプロセス中のフィードバックおよび／または生体認証センサと通信する方法についての指示をユーザに提供することができる。モバイル機器としてのスマートフォンの例では、本方法は、ユーザに指示を提供するためのスマートフォンアプリケーション（「アプリ」）の使用を含むことができる。設定システムのオペレータは、自分のウェブサイトまたはＧｏｏｇｌｅ  Ｐｌａｙｓｔｏｒｅなどのアプリケーションストアからダウンロードされるアプリを提供することができる。
【００１９】
指紋生体認証の使用の可能性を再び考慮すると、指紋センサが使用されるときは、ユーザへの指示は、指紋センサ上の指紋の位置および／または加えられる圧力に関する案内および／またはフィードバックを含むことができる。カメラが使用されるときは、ユーザへの指示は、カメラの視野内の指紋の構成、カメラまでの距離、および／または照明レベルに関する案内および／またはフィードバックを含むことができる。指示は、生体認証登録を完了するために必要な繰り返しの数、例えば、なお必要とされる成功する指紋スキャンの数についてユーザに助言することを含むことができる。アプリが使用される場合は、いったん生体認証登録プロセスが首尾よく完了すると、アプリはデータ伝送ネットワークを介して生体データを設定システムに安全に送信することができる。上記のように、これは生体認証テンプレートデータとしてあり得、その場合、アプリは指紋テンプレートなどの適切なテンプレートを生成するように構成することができる。
【００２０】
次いで、１つの特定の例では、スマートフォンをモバイル機器として、指紋を生体認証として、支払い用スマートカードを生体認証装置として用いて、銀行などのスマートカード発行者がスマートカードの発行を承認されたユーザにアプリを提供することができる。エンドユーザは、銀行の安全なネットワークに組み込むことができ、登録プロセスのための指示を提供する安全で信頼できるツールが提供される。いったんインストールされると、アプリは、スマートフォンのカメラを指紋センサとして使用するか、指紋データを登録するために、スマートフォンに組み込まれた専用の指紋センサを使用するようにエンドユーザを案内する。指紋データ（好ましくはテンプレートとして）は、データ伝送ネットワークを介して、この場合、銀行／スマートカード発行者によって操作され得る設定システムに送信される。指紋データがスマートカードに登録された後、個人化データが追加される。
【００２１】
好都合には、本方法は、個人化の後に生体認証装置を登録ユーザに送る工程を含む。これは、例えば郵便または宅配便を介して行われてもよい。ユーザが生体認証装置を受け取ると、それはすでに登録されているため、本装置はすぐに使用することができる。したがって、配送中に横取りされた場合、本装置が不正に使用されることはない。
【００２２】
設定システムのオペレータは、上記のように銀行などの装置の発行者であり得る。これは、装置の発行者が、同様の既存のプロセスと同じセキュリティプロトコルを用いて行うことができる個人化プロセスの制御権を保持し、それらもまた再び適切に安全な方法で扱うことができる生体認証登録プロセスの制御権を有することを意味する。しかし、ユーザは、ユーザのモバイル機器を介して取得される彼ら自身の生体認証の制御権を維持し、好ましい実施形態では、設定システムは完全な生体データにアクセスしないが、代わりにテンプレートなどのみを受信し得る。モバイル機器および設定システムのみが生体データにアクセスする必要があり、これはプロセスのセキュリティを強化する。
【００２３】
生体認証装置の発行者は、製造業者からブランク装置、または部分的に組み立てられた／部分的に完成した装置を受け取ることができる。一例では、生体認証装置は、生体データの登録および個人化データの追加の後にカプセルに入れられ、したがって、不正に対する機械的保護を提供する。例えば、スマートカードは、ラミネート加工工程の前に、登録に使用される電子接続／電気部品が露出されている状態で、装置の発行者に提供され、その後、生体データの登録後に装置の発行者はラミネート加工を実行し、これは、登録に使用された電子接続／電気部品を密封し、装置を物理的に改ざんすることなく、さらなるアクセスを防止する。あるいは、登録および／または個人化は、生体認証装置との安全な無線データ接続を介して行われてもよい。
【００２４】
データ伝送ネットワークは、携帯電話通信および／またはインターネットに使用されるネットワークを含み得る。生体データはもちろん安全に送信されるべきであり、以って好ましくはデータ伝送ネットワークによる通信は安全な通信である。安全な通信は、例えば生体データの暗号化を含む従来の方法を用いて実施することができる。
【００２５】
生体認証装置の後の使用では、認証ユーザが上記の方法に従って生体認証装置に自分の生体データを登録した後に、ユーザは通常、生体認証装置の一部またはすべての使用を認証するために、特に個人化データの使用を必要とする機能にアクセスするために生体認証センサを介して生体認証プロセスを経験することを要求される。生体認証プロセスは、指紋センサを含む従来の生体認証センサのために使用された技術などの任意の適切な方法で実行され得る。指紋の場合、ユーザは生体認証装置の指紋センサ上に自分の指または親指を置く必要があり得る。制御システム内の指紋照合アルゴリズムを用いて、登録ユーザと指紋センサによって感知された指紋との間の指紋の一致を識別することができる。指紋を照合できない場合には、制御システムは、非指紋認証に対するプロンプトを出すことができる。
【００２６】
生体認証装置は、ユーザが一部またはすべての機能へのアクセスを要求する毎に認証を要求することができる。あるいは、または他の機能のために、装置は、ユーザの身元をチェックすることなく装置の他の使用が許可されている状態で、定期的な認証のみを要求することができる。したがって、認証ユーザがカードの制御権を保持していることを確認するのに十分な頻度でＰＩＮが使用されるという条件で、ＰＩＮがあらゆる取引に必要とされない非接触取引用の既存の「チップ＆ＰＩＮ」カードと同様に装置は使用可能であり得る。
【００２７】
好ましくは、生体認証装置は、いったん登録されると、ユーザを識別するために使用される生体データを抜き取ることが不可能であるように構成される。生体データは、例えば暗号化され、装置のプロセッサにのみアクセス可能であり得る。
【００２８】
第２の態様から見ると、本発明は、生体認証装置上のソフトウェアおよび／またはハードウェアを設定するための設定システムであって、設定システムが、設定システムから遠隔にあるモバイル機器から生体データを受信するためにデータ伝送ネットワークと通信するように構成されており、設定システムが、生体データを生体認証装置に登録し個人化データを生体認証装置に提供するように構成されており、個人化データが、装置をユーザに個人化するように働き、かつユーザ固有データを含んでおり、設定システムが、生体データが登録されて個人化データが追加されるまで、生体認証装置をユーザに送るために解放しない設定システムを提供する。
【００２９】
設定システムは、生体データを生体認証装置に登録するためのより広範なシステムの一部であり得、本システムは、生体データを取得するためのセンサをもったモバイル機器であって、モバイル機器が、ユーザとアクセス可能であり、ユーザに知られた機器であり、そして安全な通信または個人的な通信のためにユーザによって以前に使用された機器であるモバイル機器と、データ伝送ネットワークであって、モバイル機器と通信してモバイル機器から生体データを受信することができ、モバイル機器が、ユーザから生体データを取得し、次いでデータ伝送ネットワークを介して生体データを設定システムに送信するように構成されているデータ伝送ネットワークと、設定システムであって、生体データを生体認証装置に登録し設定システムを用いて個人化データを生体認証装置に提供するように構成されており、個人化データが、装置をユーザに個人化するように働き、かつユーザ固有データを含んでおり、設定システムが、生体データが登録されて個人化データが追加されるまで、生体認証装置をユーザに送るために解放しない設定システムと、生体認証装置であって、生体認証装置の後の使用中に、個人化データの一部またはすべてへのアクセスを提供するように構成されており、アクセスが、事前登録生体データおよび生体認証装置の生体認証センサを用いる生体認証に応答して許可される、生体認証装置とを含む。
【００３０】
これらのシステムは、上記の方法および生体認証装置と同様の利点を提供し、データ伝送ネットワークおよび／または設定システムは、上記のように動作するように構成されてもよい。
【００３１】
設定システムは、生体データが生体認証装置に登録される後にのみ個人化データを提供するように構成されてもよい。いくつかの例では、生体認証装置は自己登録することができない、すなわち、装置は生体データを装置に登録するために必要なソフトウェアおよび／またはハードウェアを備えていない。
【００３２】
生体認証センサは、指紋センサとして使用されるカメラまたは専用の指紋センサ（例えば、指紋エリアセンサ）などの指紋データを取得するためのセンサであり得る。したがって、生体データは指紋データであり得る。上記のように、同じ生体認証を使用する必要があるが、モバイル機器と生体認証装置とは、その生体認証を感知するために異なるタイプのセンサを有することができる。
【００３３】
設定システムは、生体データを受信し、次いで、そのデータを生体認証装置に登録するように構成される。例えば、装置が支払いに使用されるスマートカードである場合、これは生体データをスマートカード上のプロセッサに関連するメモリに保存することを含み得る。設定システムは、生体データの登録が完了した後にのみ個人化データを提供することによって生体認証装置を個人化するように構成される。個人化データは上記のようであり得る。
【００３４】
モバイル機器は上記のようであり得、広く使用されることが期待される一例は、生体認証センサをもったモバイル機器がユーザのスマートフォンになることであり、スマートフォンは、スマートフォンのカメラを介して実装された指紋センサまたは専用の指紋センサを含む。
【００３５】
モバイル機器は、モバイル機器上の生体認証センサを介して登録を案内するようにユーザに指示を提供するように構成することができる。機器がスマートフォンである場合は、スマートフォンは上記のようなアプリを含み得る。
【００３６】
上記の方法またはシステムでは、生体認証装置は、以下の機能のいずれかを含み得る。生体認証装置は、生体認証照合アルゴリズムを実行するための生体認証プロセッサと１人以上の登録ユーザのための生体データを記憶するためのメモリとを含み得る。生体認証装置の制御システムは複数のプロセッサを含み得、生体認証プロセッサは指紋センサと関連する別のプロセッサであり得る。他のプロセッサは、他の装置との通信（例えば、非接触技術による）、受信機／送信機の起動および制御、例えば金融取引などのための安全な要素の起動および制御など、装置の基本機能を制御するための制御プロセッサを含み得る。種々のプロセッサは、別のハードウェア要素に具体化することができ、または、おそらく別のソフトウェアモジュールと共に単一のハードウェア要素に組み合わせることができる。
【００３７】
生体認証装置は、携帯可能な装置であり得、それは、人によって携帯されるように設計された装置、好ましくは便利に携帯するのに十分小型で軽量の装置を意味する。本装置は、例えばポケット、ハンドバッグまたは財布内で携帯されるように構成することができる。本装置は、指紋認証可能ＲＦＩＤカードなどのスマートカードであり得る。本装置は、コンピュータシステムにアクセスするためのワンタイムパスワード装置、または車両のキーレスエントリシステム用のフォブなど、制御トークンの外部のシステムへのアクセスを制御するための制御トークンであり得る。本装置は、好ましくは、有線電源に依存しないという意味でも携帯可能である。本装置は、内部電池および／またはリーダなどから、例えばＲＦＩＤリーダから非接触で収集された電力によって給電されてもよい。
【００３８】
生体認証装置は、専用装置、すなわち単一の外部システムまたはネットワークと通信するための、または単一タイプの外部システムまたはネットワークと通信するためであって他の目的は何もない装置であってもよい。したがって、本装置は、スマートフォンなどの複雑で多機能な機器とは区別されるべきである。
【００３９】
生体認証装置がスマートカードである場合は、スマートカードは、アクセスカード、クレジットカード、デビットカード、プリペイドカード、ポイントカード、身分証明書などのいずれか１つであり得る。スマートカードは、好ましくは８５．４７ｍｍ乃至８５．７２ｍｍの幅と５３．９２ｍｍ乃至５４．０３ｍｍの高さとを有する。スマートカードは、０．８４ｍｍ未満、好ましくは約０．７６ｍｍ（例えば、±０．０８ｍｍ）の厚さを有し得る。より一般には、スマートカードは、スマートカード用の仕様であるＩＳＯ７８１６に準拠してもよい。
【００４０】
生体認証装置が制御トークンである場合、それは、例えば車両用のキーレスエントリキーであり得、その場合、外部システムは、車両のロック／アクセスシステムおよび／または点火システムであり得る。外部システムは、より広くは車両の制御システムであり得る。制御トークンは、認証ユーザの生体認証識別に応答して送信されるだけの車両機能へのアクセスを与える無線周波数信号と共に、マスターキーまたはスマートキーとして機能することができる。あるいは、制御トークンは遠隔ロックタイプのキーとして機能してもよく、車両をロック解除するための信号は、生体認証が認証ユーザを識別したときにのみ送信され得る。この場合、認証ユーザの識別は、従来技術のキーレスエントリタイプの装置のロック解除ボタンを押すのと同じ効果を有し、車両をロック解除するための信号は、認証ユーザの指紋または非指紋の識別の際に自動的に送信され得、または、認証ユーザの認証によって制御トークンを起動したときに、ボタン押しに応答して送信され得る。
【００４１】
生体認証装置は、ＲＦＩＤまたはＮＦＣ通信を用いるなどの無線通信が可能であり得る。あるいは、または、さらに、本装置は、例えば「チップアンドピン」支払いカードに使用されるものなど接触パッドなどを介した接触接続を含むことができる。種々の実施形態では、生体認証装置は無線通信も接触通信も可能であり得る。
【００４２】
さらに別の態様では、本発明は、生体データを生体認証装置に登録するためのコンピュータプログラム製品であって、コンピュータプログラム製品が、生体認証装置上のソフトウェアおよび／またはハードウェアを設定するための設定システム上で実行されると、設定システムに、ユーザに知られており、かつ安全な通信または個人的な通信のためにユーザによって以前に使用された機器であるモバイル機器からユーザのための生体データを受信させ、データ伝送ネットワークを介して生体データを生体認証装置に登録させ、個人化データを生体認証装置に提供させ、そして生体データが登録されて個人化データが追加されるときにのみ、生体認証装置をユーザに送るために解放する指示を含んでおり、設定システムがモバイル機器から遠隔にあり、個人化データが、装置をユーザに個人化するように働き、事前登録生体データおよび前記生体認証装置の前記生体認証センサを使用する生体認証に応答して生体認証装置の後の使用中にアクセス可能であることを意図したユーザ固有データを含んでいる、コンピュータプログラム製品を提供する。
【００４３】
コンピュータプログラム製品は、第１の態様の方法に関連して上記の機能のいずれかに従って設定システムに動作させるように構成することができる。
【００４４】
本発明はさらに、上記の方法またはシステムによって生成された生体認証装置に及ぶ。生体認証装置は、生体認証センサを有し、個人化データと一緒に登録生体データを含み、生体データは、生体認証装置とは別のモバイル機器を介して取得され、生体認証装置は、生体認証装置の後の使用中に個人化データの一部またはすべてへのアクセスを提供し、アクセスは、事前登録生体データおよび生体認証装置の生体認証センサを使用する生体認証に応答して許可される。
【００４５】
この生体認証装置は、上記の方法またはシステムで使用される生体認証装置と関連して上記の機能のいずれかを有することができる。生体認証装置は、個人化データを追加する前に装置に登録された生体データを含むことができる。本装置は自己登録できないことがあり、いくつかの例では、生体認証装置は、装置への生体データの登録に必要なソフトウェアおよび／またはハードウェアを備えていない。生体データは、スマートフォンの指紋センサまたはスマートフォンカメラからの複数の指紋スキャンから取得された指紋テンプレートなど、スマートフォンセンサを介して取り込まれた指紋データであり得る。生体認証装置は、指紋センサをもったスマートカードであり得る。生体認証装置上の指紋センサは、１人以上の登録ユーザによるアクセスの認証に使用するために装置上に記憶された指紋データを取得するために使用されたモバイル機器のセンサとサイズおよび／またはタイプが異なっていてもよい。例えば、モバイル機器のセンサはカメラであり得る一方、生体認証装置上のセンサは、静電容量型センサなどの指紋エリアセンサであり得る。
【００４６】
本発明のある好ましい実施形態を、例示のみを意図して、添付の図面を参照しながら、より詳細に説明する。
【図面の簡単な説明】
【００４７】
【図１】生体認証装置への生体データの登録のためのシステムの図である。
【図２】指紋センサをもったスマートカードの例示の概略図である。
【発明を実施するための形態】
【００４８】
例として、本発明は、非接触技術を含みカードリーダ１０４から収集された電力を使用する指紋認証スマートカード１０２の文脈において記載される。これらの機能は、生体認証装置の多くの潜在的なユーザによってすでに所有されているモバイル機器上の適切なセンサの広い入手可能性を特に考慮して、提案された登録方法およびシステムの１つの用途の好都合な機能であると考えられる。しかし、好ましい実施形態のこれらの機能は本質的な機能として見なされないことを理解することが重要である。上記のような制御トークンなど、他の生体認証装置に実質的な変更なく同じ登録方法が適用されてもよい。指紋データの代わりに異なるタイプの生体データを使用してもよい。スマートカードは、代わりに、物理的接触を使用してもよく、および／または内部電力を供給する電池を含んでもよい。
【００４９】
一例によれば、銀行２０は、指紋保護スマートカード１０２をユーザ２２に発行することを決定する。図１は、指紋データの登録方法の種々の工程を示す。スマートカード１０２は、図２に関連して以下に記載されるようなものであり得る。銀行２０は、設定システム２４において実行される工程を囲む破線によって概略的に示される設定システム２４を操作する。これは通常、銀行によって管理されているサイトに物理的に配置され、スマートカード１０２と通信するための、銀行２０の他のコンピュータ装置と通信することができるコンピュータ装置を含むことがある。設定システム２４はまた、この場合、指紋センサ（図示せず）を有するスマートフォン２８であるモバイル機器２８との通信を可能にするためにデータ伝送ネットワーク（例えばインターネット２６）と通信する。
【００５０】
スマートカード１０２に指紋データを登録するための基本的な工程は次のとおりである。銀行２０は、工程３０で、例えばインターネット２６を介して、消費者にアプリを提供する。工程３２で、消費者２２はそのアプリを自分のスマートフォン２８にダウンロードする。アプリは、一般に任意の消費者２２に入手可能になり得、したがって、消費者２２が、銀行２０によってスマートカード１０２の発行を認証されたときなどの時点で使用準備ができている。あるいは、スマートカード１０２の発行が認証されたときに、銀行は消費者にアプリへのリンクを提供することのみを選択することができ、それによってソフトウェアを事実上「招待のみ」にする。スマートフォンアプリケーションに関してよく知られているように、異なるバージョンのソフトウェアが異なるオペレーティングシステムおよび異なるスマートフォンに提供されてもよい。
【００５１】
アプリは、いったんスマートフォン２８にインストールされると、フローチャート３４の図１に示すように、指紋登録プロセスを通してユーザ２２を案内する。これは、以下により詳細に説明される。指紋登録プロセス３４は、インターネット２６でもよいデータ伝送ネットワークを介して工程３８で、設定システム２４に送信される複合テンプレートファイルを生成する。設定システム２４は、工程４０で複合テンプレートファイル３８を受信し、次いで第１の工程で指紋データがカード１０２に登録され、次いで第１の工程の後の第２の工程で個人化データがカード１０２に追加される場合に、登録および個人化プロセス４２を実行する。したがって、この例では、銀行は複合テンプレートファイルを受信し、それをエンドユーザの支払いカード上のセキュアエレメントに保存し、次いで、１６桁のアカウント番号、エンドユーザの名前、請求先／郵送先住所などを割り当てることによってカードを個人化する。いったん指紋データが登録されてカードが個人化されると、銀行は永久に複合テンプレートファイルを削除する。
【００５２】
指紋データがカード１０２に登録されて個人化データがカード１０２に追加されて初めて、工程４４に示すように、カード１０２はユーザ２２に送られる。したがって、銀行２０は、スマートカード１０２が事前登録生体データならびに通常の個人化データを有している場合にそれを郵送する。エンドユーザ２２が郵便受けまたは他の配送機構からカード１０２を回収するとすぐに、そのカードは使用可能になる。支払カード１０２が郵便で紛失した場合、生体認証がすでに可能になっているから、それを不正に使用しようとする悪人はそれをし得ないため、カード１０２を使用する不正な試みはうまくいかない。エンドユーザに首尾よく到着した支払いカードの場合、エンドユーザがフリーダイヤル番号に電話をかけたりＷｅｂサイトにログインしたりしてカードを有効にする必要はない。カードは生体認証により保護されており、カードが横取りされた場合に不正使用のリスクなく正当な所有者によってすぐに使用可能である。
【００５３】
スマートフォン２８は、スマートカード１０２が上記参照の先行技術のように「自己登録」のために使用された場合よりも、もっと情報および指示をユーザ２２に提供することができるため、登録プロセス中のスマートフォン２８の使用から利点もある。
【００５４】
アプリは、指紋登録プロセス３４において、スマートフォン２８のカメラまたはスマートフォン２８に組み込まれた指紋センサを使用するようにエンドユーザ２２に案内する。例えば、エンドユーザ２２は、カメラを指紋センサとして用いて指紋テンプレートを取り込むためのソフトウェアを使用するように指示され得る。スマートフォンカメラなどのカメラから指紋生体認証を取得するためのソフトウェアの例としては、米国アラバマ州バーミンガムのＤｉａｍｏｎｄ  Ｆｏｒｔｒｅｓｓ  Ｔｅｃｈｎｏｌｏｇｉｅｓによって供給されるＯＮＹＸ（登録商標）ソフトウェア、アラバマ州ハンツビルのＩＤａｉｒによって供給されるＯｎｅＰｒｉｎｔ（登録商標）、および英国、ウェリントンのＢｉｏＳＳＬ  Ｌｔｄ．によって供給されるＢｉｏＳＳＬ指紋認証製品が挙げられる。このソフトウェアは本発明に従って適合させることができ、または同様の機能をもった代替ソフトウェアを使用することができる。いずれにしても、登録のための指示はソフトウェアの最良の使用と一致する。
【００５５】
あるいは、エンドユーザ２２は、例えば１０の画像が取り込まれるまで、スマートフォン２８上の指紋センサを横切って指を複数回スキャンすることによって指を登録することができる。これらは、工程３８および４０を介して銀行２０に送信するための複合テンプレートファイルとして記憶される。専用の指紋センサを使ってユーザ２２は工程４６で自分の指をセンサ上に置くように指示され、センサは工程４８で指の検出を試みる。指がセンサ上に検出されないと、アプリはフィードバック５０によって示されるようにユーザに再スキャンするように命じることができる。指紋が工程５４で取り込まれると、工程５６で指紋スキャンの品質がチェックされる。エンドユーザ２２がスキャンの一方に高い圧力をかける場合、工程５２で示すように、モバイルアプリは、より低い圧力を用いてエンドユーザ２２に再スキャンするように命じる。指紋は、工程５８で、テンプレートファイルに加工され、プロセスは工程６０で繰り返される。一定数（例えば１０）の成功したスキャンが収集されると、工程６２で複合テンプレートファイルが作られる。複合テンプレートファイルは工程６４で暗号化され、次いで、アプリは、成功した登録についてエンドユーザを祝福し、工程６６でエンドユーザに複合テンプレートファイルを銀行の安全なサーバにアップロードするように要求する。次いで、銀行で設定システム２０を介する登録が上記のように進行する。
【００５６】
図２は、提案された方法を用いて登録することができ、したがって図１のシステム内のスマートカード１０２として使用することができるスマートカード１０２のアーキテクチャを示す。駆動中のカードリーダ１０４はアンテナ１０６を介して信号を送信する。信号は、ＮＸＰ  Ｓｅｍｉｃｏｎｄｕｃｔｏｒｓによって製造されたＭＩＦＡＲＥ（登録商標）およびＤＥＳＦｉｒｅ（登録商標）システムでは通常１３．５６ＭＨｚであるが、ＨＩＤ  Ｇｌｏｂａｌ  Ｃｏｒｐ．によって製造された低周波数ＰＲＯＸ（登録商標）製品では１２５ｋＨｚであり得る。この信号は、同調コイルおよびコンデンサを含むスマートカード１０２のアンテナ１０８によって受信され、次いで通信チップ１１０に渡される。受信信号はブリッジ整流器１１２によって整流され、整流器１１２のＤＣ出力は通信チップ１１０からのメッセージングを制御するプロセッサ１１４に提供される。
【００５７】
プロセッサ１１４からの制御信号出力は、アンテナ１０８を横切って接続されている電界効果トランジスタ１１６を制御する。トランジスタ１１６をオンとオフとに切り替えることによって、信号をスマートカード１０２によって送信し、センサ１０４内の適切な制御回路１１８によって復号することができる。この種のシグナリングは後方散乱変調として知られており、センサ１０４がそれ自体への戻りメッセージに給電するために使用されるという事実によって特徴づけられる。
【００５８】
オプションの機能である加速度計１６は、適切にプロセッサ１１４に接続されている。加速度計１６は、米国ニューヨーク州イサカのＫｉｏｎｉｘ，Ｉｎｃ．によって提供されているような３軸デジタル加速度計であり得、この例では、それはＫｉｏｎｉｘ  ＫＸＣＪＢ−１０４１加速度計である。加速度計は、カードの動きを感知し、出力信号を、以下のように、カード上の必要な機能に関連する動きを検出して識別するように構成されているプロセッサ１１４に提供する。加速度計１６は、電力が駆動中のカードリーダ１０４から収集されているときにのみ使用することができ、または代わりに、スマートカード１０２は、加速度計１６を見込む電池（図示せず）をさらに備えることができ、プロセッサ１１４の関連した機能性および装置の他の機能もいつでも使用されるようになる。
【００５９】
スマートカードはさらに、指紋プロセッサ１２８および指紋センサ１３０を含む指紋認証エンジン１２０を備えている。これにより、指紋識別を介する認証が可能になる。指紋プロセッサ１２８は、好都合には、指紋データを登録できないことがあり、したがって、スマートカード１０２は、好ましくはモバイル機器からの登録データを使用する登録事前個人化である別の方法を介して登録しなければならないことを保証する。指紋プロセッサ１２８と通信チップ１１０を制御するプロセッサ１１４とは装置用の制御システムを一緒に形成する。２つのプロセッサは、実際にはソフトウェアモジュールとして同じハードウェア上に実装することができるが、別のハードウェアも使用することができる。加速度計１６（存在する場合）と同様に、指紋センサ１３０は、電力が駆動中のカードリーダ１０４から収集されているときにのみ使用することができ、または代わりに、スマートカード１０２は、電力が指紋センサ１３０および指紋プロセッサ１２８ならびにプロセッサ１１４および装置の他の機能のためにいつでも提供されることを可能にする電池（図示せず）をさらに備えることができる。
【００６０】
アンテナ１０８は、カードリーダ１０４からのＲＦ信号を受信するように調整されている誘導コイルおよびコンデンサを含む同調回路を備える。センサ１０４によって発生した励起場にさらされると、アンテナ１０８を横切って電圧が誘導される。
【００６１】
アンテナ１０８は、アンテナ１０８の各端部に１つ、第１の端部出力線１２２と第２の端部出力線１２４とを有する。アンテナ１０８の出力線は、指紋認証エンジン１２０に電力を供給するために指紋認証エンジン１２０に接続される。この構成では、整流器１２６は、アンテナ１０８によって受信されたＡＣ電圧を整流するために提供される。整流されたＤＣ電圧は、平滑コンデンサを用いて平滑化され、次いで指紋認証エンジン１２０に供給される。
【００６２】
指紋認証エンジンの指紋センサ１３０は、エリア指紋センサ１３０であり得、カードハウジングに取り付けるか、または積層カード本体１４０から露出するように取り付けることができる。カードハウジングまたは積層体１４０は、図２の構成要素のすべてを箱詰めされ、従来のスマートカードと同様のサイズにされる。指紋認証エンジン１２０は受動的であり得、したがってアンテナ１０８からの電圧出力によってのみ給電される。プロセッサ１２８は、合理的な時間で指紋照合を実行することができるように、非常に低電力かつ非常に高速であるように選択されるマイクロプロセッサを含む。
【００６３】
指紋認証エンジン１２０は、指紋センサ１３０に提示された指または親指をスキャンし、プロセッサ１２８を用いて指または親指のスキャンされた指紋を事前に記憶された指紋データと比較するように構成される。次いで、スキャンされた指紋が事前に記憶された指紋データと一致するかどうかについて判定がなされる。好ましい実施形態では、指紋画像を取り込んでカード１０２の所有者を認証するのに必要な時間は１秒未満である。
指紋の一致が判定されると、プロセッサはそのプログラミングに応じて適切な処置をとる。この例では、指紋認証プロセスは、非接触カードリーダ１０４をもったスマートカード１０２の使用を認証するために使用される。したがって、通信チップ１１０は、指紋照合がなされるときにカードリーダ１０４に信号を送信することを認証される。通信チップ１１０は、従来の通信チップ１１０と同様に、後方散乱変調によって信号を送信する。本カードは、第１のＬＥＤ１３６などの適切なインジケータを用いて成功した認証の表示を提供することができる。
【図１】
2019525310.tif 000003
【図２】
2019525310.tif 000004
【国際調査報告】
2019525310.tif 000005
2019525310.tif 000006